(57)【要約】  【課題】近距離の被写体を照明する光源を使用する場合に適切に露光制御するカメラシステムを得る。  【解決手段】電子カメラに高輝度照明灯１０５および低輝度照明灯１０６を設け、主要被写体までの距離に応じて使い分ける。高輝度照明灯１０５を放電管で、低輝度照明灯１０６を白色ＬＥＤでそれぞれ構成する。低輝度照明灯１０６は、撮影画角外を無駄に照射しない程度に照射角を広くし、その発光窓４、４'（図１）を鏡筒先端の撮影レンズの光軸に近い位置に設ける。低輝度照明灯１０６を発光させる場合、当該照明灯１０６を点灯後に照明光の当たった被写体光を測光して露出演算を行い、シャッタ速度（シャッタ秒時Ｔ）を演算する。これにより、主要被写体を実際に照明した状態で露出演算が行える。低輝度照明灯１０６は、シャッタ秒時Ｔに対応する露光時間の範囲で連続発光する。  【選択図】図２
2005308929.tif 000002
【特許請求の範囲】
【請求項１】
撮影領域の中心を含む所定領域および前記所定領域を除く撮影領域に対応する輝度情報をそれぞれ検出する測光手段と、
第１の距離以上に離れた被写体を照明する第１の照明手段と、
前記第１の距離より近くの被写体を照明する第２の照明手段と、
前記第１の照明手段および前記第２の照明手段に対する発光許可を択一的に切り換える発光制御手段と、
前記第２の照明手段が発光許可されたとき、レリーズ指示に応じて前記第２の照明手段を発光開始させるとともに前記測光手段で前記発光開始後に検出された輝度情報を用いて露出時間を演算し、前記発光開始から所定時間が経過後に露出開始を指示し、前記露出開始から前記露出時間が経過後に露出終了を指示し、前記露出終了指示後に前記第２の照明手段を発光停止させる撮影制御手段とを備えることを特徴とするカメラシステム。
【請求項２】
撮影領域の中心を含む所定領域および前記所定領域を除く撮影領域に対応する輝度情報をそれぞれ検出する測光手段と、
第１の距離以上に離れた被写体を照明する第１の照明手段と、
前記第１の距離より近くの被写体を照明する第２の照明手段と、
前記第１の照明手段および前記第２の照明手段に対する発光許可を択一的に切り換える発光制御手段と、
前記第２の照明手段が発光許可されたとき、レリーズ指示に応じて前記第２の照明手段を発光開始させるとともに前記測光手段で前記発光開始後に検出された輝度情報を用いて照明時間および露出時間をそれぞれ演算し、前記発光開始から所定時間が経過後に露出開始を指示し、前記露出開始から前記照明時間が経過後に前記第２の照明手段を発光停止させ、前記露出開始から前記露出時間が経過後に露出終了を指示する撮影制御手段とを備えることを特徴とするカメラシステム。
【請求項３】
請求項２に記載のカメラシステムにおいて、
前記照明時間は、前記撮影領域の中心を含む所定領域の露出を適正にする時間であり、前記露出時間は、前記所定領域を除く撮影領域の露出を適正にする時間であることを特徴とするカメラシステム。
【請求項４】
請求項１〜３のいずれかに記載のカメラシステムにおいて、
主要被写体までの距離情報を検出する測距手段をさらに備え、
前記発光制御手段は、前記測距手段によって検出された距離情報に応じて前記第１の照明手段および前記第２の照明手段に対する発光許可を択一的に切り換えることを特徴とするカメラシステム。
【請求項５】
請求項１〜４のいずれかに記載のカメラシステムにおいて、
前記第２の照明手段は、電流制御型の発光素子を有することを特徴とするカメラシステム。
【請求項６】
撮影領域の中心を含む所定領域および前記所定領域を除く撮影領域に対応する輝度情報をそれぞれ検出する測光手段と、
第１の距離以上に離れた被写体を照明する第１の照明手段と、
前記第１の距離より近くの被写体を照明する電流制御型の第２の照明手段と、
前記測距手段によって検出された距離情報に応じて前記第１の照明手段および前記第２の照明手段に対する発光許可を択一的に切り換える発光制御手段と、
前記距離情報、設定されている絞り値、および前記測光手段で検出されている輝度情報を用いて演算される露出時間をそれぞれ用いて前記第２の照明手段に供給する電流値を演算する電流値演算手段と、
前記第２の照明手段が発光許可されたとき、レリーズ指示に応じて前記第２の照明手段へ前記演算された電流値で発光開始させるとともに露出開始を指示し、前記露出開始から前記露出時間が経過後に前記第２の照明手段を発光停止させるとともに露出終了を指示する撮影制御手段とを備えることを特徴とするカメラシステム。
【請求項７】
請求項６に記載のカメラシステムにおいて、
前記電流演算手段は、前記撮影領域の中心を含む所定領域の露出を適正にするように電流値を演算することを特徴とするカメラシステム。
【請求項８】
請求項１〜７のいずれかに記載のカメラシステムにおいて、
前記第２の照明手段は、所定の強さの光を継続して発することを特徴とするカメラシステム。
【請求項９】
請求項１〜８のいずれかに記載のカメラシステムにおいて、
前記第２の照明手段は、前記第１の照明手段より撮影レンズの光軸の近くに配設されることを特徴とするカメラシステム。
【発明の詳細な説明】
【技術分野】
【０００１】
本発明は、撮影時に被写体を照明するカメラシステムに関する。
【背景技術】
【０００２】
撮影時に被写体を照明する撮影補助光源として高圧の充電回路を必要とする放電型光源と、充電回路が不要で消費電力が放電型光源に比べ少ないＬＥＤを使用するものが提案されている。特許文献１には、ＬＥＤによって被写体を照明するカメラが開示されており、撮影距離が遠い場合には多数のＬＥＤを同時に点灯させる必要がある。一方、放電型光源はＬＥＤに比べ高輝度な光源であるためＬＥＤに比べ多数個配置することなく比較的遠い被写体の照明を可能にすることができる。
【０００３】
【特許文献１】特開２００２−２０７２３６号公報
【発明の開示】
【発明が解決しようとする課題】
【０００４】
比較的遠い被写体照明に適した放電型光源と、近距離の被写体照明に適したＬＥＤ光源を組み合わせ使い分けることにより、省電撮影補助光システムを実現する時、放電型光源は、充電回路に蓄積されているエネルギーが放電されると発光（閃光発光）が停止する。一方、ＬＥＤは電流が供給されていれば継続して光を発する。このため、ＬＥＤに対する電流供給を継続すれば、放電型光源の閃光時間に比べてはるかに長く発光を継続させることができる。このように発光時間が異なる光源を使用する場合、放電型光源使用時とＬＥＤ光源使用時とで異なる露光制御が必要である。特許文献１には、露光タイミングとＬＥＤの発光タイミングとの詳細な関係が明らかにされておらず、ＬＥＤによる照明時に正しく露光制御できない。
【課題を解決するための手段】
【０００５】
請求項１に記載の発明によるカメラシステムは、撮影領域の中心を含む所定領域および所定領域を除く撮影領域に対応する輝度情報をそれぞれ検出する測光手段と、第１の距離以上に離れた被写体を照明する第１の照明手段と、第１の距離より近くの被写体を照明する第２の照明手段と、第１の照明手段および第２の照明手段に対する発光許可を択一的に切り換える発光制御手段と、第２の照明手段が発光許可されたとき、レリーズ指示に応じて第２の照明手段を発光開始させるとともに測光手段で発光開始後に検出された輝度情報を用いて露出時間を演算し、発光開始から所定時間が経過後に露出開始を指示し、露出開始から露出時間が経過後に露出終了を指示し、露出終了指示後に第２の照明手段を発光停止させる撮影制御手段とを備えることを特徴とする。
請求項２に記載の発明によるカメラシステムは、撮影領域の中心を含む所定領域および所定領域を除く撮影領域に対応する輝度情報をそれぞれ検出する測光手段と、第１の距離以上に離れた被写体を照明する第１の照明手段と、第１の距離より近くの被写体を照明する第２の照明手段と、第１の照明手段および第２の照明手段に対する発光許可を択一的に切り換える発光制御手段と、第２の照明手段が発光許可されたとき、レリーズ指示に応じて第２の照明手段を発光開始させるとともに測光手段で発光開始後に検出された輝度情報を用いて照明時間および露出時間をそれぞれ演算し、発光開始から所定時間が経過後に露出開始を指示し、露出開始から照明時間が経過後に第２の照明手段を発光停止させ、露出開始から露出時間が経過後に露出終了を指示する撮影制御手段とを備えることを特徴とする。
請求項２に記載のカメラシステムにおいて、照明時間は、撮影領域の中心を含む所定領域の露出を適正にする時間であり、露出時間は、所定領域を除く撮影領域の露出を適正にする時間であることを特徴とする。
請求項１〜３のいずれかに記載のカメラシステムはさらに、主要被写体までの距離情報を検出する測距手段を備えてもよく、この場合の発光制御手段は、測距手段によって検出された距離情報に応じて第１の照明手段および第２の照明手段に対する発光許可を択一的に切り換えることもできる。
請求項１〜４のいずれかに記載のカメラシステムにおいて、第２の照明手段は、電流制御型の発光素子を有するようにしてもよい。
請求項６に記載の発明によるカメラシステムは、撮影領域の中心を含む所定領域および所定領域を除く撮影領域に対応する輝度情報をそれぞれ検出する測光手段と、第１の距離以上に離れた被写体を照明する第１の照明手段と、第１の距離より近くの被写体を照明する電流制御型の第２の照明手段と、測距手段によって検出された距離情報に応じて第１の照明手段および第２の照明手段に対する発光許可を択一的に切り換える発光制御手段と、距離情報、設定されている絞り値、および測光手段で検出されている輝度情報を用いて演算される露出時間をそれぞれ用いて第２の照明手段に供給する電流値を演算する電流値演算手段と、第２の照明手段が発光許可されたとき、レリーズ指示に応じて第２の照明手段へ演算された電流値で発光開始させるとともに露出開始を指示し、露出開始から露出時間が経過後に第２の照明手段を発光停止させるとともに露出終了を指示する撮影制御手段とを備えることを特徴とする。
請求項６に記載のカメラシステムにおいて、電流演算手段は、撮影領域の中心を含む所定領域の露出を適正にするように電流値を演算することもできる。
請求項１〜７のいずれかに記載のカメラシステムにおいて、第２の照明手段は、所定の強さの光を継続して発することもできる。
請求項１〜８のいずれかに記載のカメラシステムにおいて、第２の照明手段は、第１の照明手段より撮影レンズの光軸の近くに配設されることを特徴とする。
【発明の効果】
【０００６】
本発明によるカメラシステムでは、とくに近距離の被写体を照明する光源を使用する場合に適切に露光制御することができる。
【発明を実施するための最良の形態】
【０００７】
以下、図面を参照して本発明を実施するための最良の形態について説明する。
（第一の実施形態）
図１は、本発明の第一の実施形態による電子カメラの外観を説明する正面図である。電子カメラ１は正面に、高輝度照明灯の発光窓２と、撮影レンズ３と、撮影レンズ３の両脇にそれぞれ配設される低輝度照明灯の発光窓４、４'と、ファインダ窓５とを有する。
【０００８】
低輝度照明灯（発光窓４、４'）および高輝度照明灯（発光窓２）は択一的に発光許可され、許可されている照明灯が発光して主要被写体を照明する。高輝度照明灯は、露光時間に比べはるかに短い時間で発光する光を発して主要被写体を照明する閃光装置により構成されており、電子カメラ１から所定距離以遠の離れた被写体を効率よく照明するように照射範囲が絞られている。低輝度照明灯は白色のＬＥＤで構成され、発光時間を自由に制御することが可能で撮影レンズ直前から遠方の被写体を照明する。
【０００９】
図２は、図１の電子カメラ１の要部構成を説明するブロック図である。図２において、ＣＰＵ１０１はＡＳＩＣなどによって構成される。ＣＰＵ１０１は、後述する各ブロックから出力される信号を入力して所定の演算を行い、演算結果に基づく制御信号を各ブロックへ出力する。
【００１０】
撮像素子１２１は、ＣＣＤイメージセンサなどによって構成される。撮像素子１２１は、撮影レンズ３を通過した像を電気信号に変換し、Ａ／Ｄ変換回路１２２へ出力する。Ａ／Ｄ変換回路１２２は、アナログ撮像信号をディジタル信号に変換する。
【００１１】
ＣＰＵ１０１は、ディジタル変換後の画像データにホワイトバランス処理などの画像処理を行う他、画像処理後の画像データを所定の形式で圧縮する圧縮処理、圧縮された画像データを伸長する伸長処理などを行う。記録媒体１２６は、電子カメラ１に対して着脱可能なメモリカードなどによって構成される。記録媒体１２６には、画像処理後の画像データが記録される。
【００１２】
画像再生回路１２４は、非圧縮の画像データ（圧縮前の画像データもしくは伸長後の画像データ）を用いて再生表示用のデータを生成する。表示装置１２５は、たとえば、液晶表示モニタなどによって構成され、再生表示用のデータによる画像を表示する。
【００１３】
高輝度照明灯１０５はキセノン管などの放電管によって構成され、ＣＰＵ１０１からの発光指示に応じてメインコンデンサＭＣに充電された電荷を放電管へ放出し、放電管を閃光発光させる。低輝度照明灯１０６は、白色ＬＥＤ（発光ダイオード）などによって構成され、ＣＰＵ１０１からの発光指示に応じてＬＥＤに所定の電流を供給し、ＬＥＤを発光させる。
【００１４】
測距装置１０２は、被写体までの距離を単独で測距する装置で距離情報をＣＰＵ１０１へ出力する。ＣＰＵ１０１は、距離情報に応じて撮影レンズ３内のフォーカスレンズ（不図示）を光軸方向に進退駆動するようにフォーカスレンズ駆動機構（不図示）へ指令を送り、撮影レンズ３の焦点位置を調節する。このように、ＣＣＤ上に結像された撮影像のコントラスト変化を判別してピント位置を検出し、フォーカスレンズを制御する。フォーカスレンズ位置とズームポジションから被写体距離を演算する。
【００１５】
測光装置１０３は外部測光装置で被写体光量を検出し、検出信号をＣＰＵ１０１へ出力する。ＣＰＵ１０１は、この検出信号を用いて被写体輝度を算出する。なお、被写体光量は、少なくとも撮影領域の中心を含む所定範囲（中央部）と、中央部を除く領域（周辺部）とでそれぞれ検出可能に構成されている。なお、ＣＣＤ上に結像された被写体像によるＣＣＤ出力を使って測光してもよい。
【００１６】
モータドライブ回路１０４は、ＣＰＵ１０１から送出される指令に応じてフォーカス調節用モータＭ１およびズーム調節用モータＭ２に対する駆動信号をそれぞれ出力する。フォーカス調節用モータＭ１は上述したフォーカスレンズ駆動機構を構成し、フォーカスレンズを進退駆動する。ズーム調節用モータＭ２は不図示のズームレンズ駆動機構を構成し、ズーム調節レンズを光軸方向に進退駆動する。
【００１７】
操作部材１０７は、不図示のズームスイッチ、不図示のモード切り換えスイッチなどを含み、各スイッチに対応する操作信号をＣＰＵ１０１へ送出する。ＣＰＵ１０１には、図１のレリーズボタン６の操作に連動するシャッタレリーズスイッチＳ１（半押しスイッチ）およびシャッタレリーズスイッチＳ２（全押しスイッチ）による操作信号も入力される。
【００１８】
本発明は、電子カメラ１に低輝度照明灯１０６が発光するように設定されている場合の動作に特徴を有する。第一の実施形態では、低輝度照明灯１０６を発光後に照明光の当たった被写体光を測光し、露出演算を行って露出時間（シャッタ速度）を決定する。低輝度照明灯１０６は、少なくとも撮像素子１２１が露出中の間は発光を継続する。
【００１９】
第一の実施形態におけるＣＰＵ１０１で行われるカメラ処理の流れについて、図３のフローチャートを参照して説明する。図３の処理によるプログラムは、カメラに電池（不図示）が装填されると繰り返し行われる。
【００２０】
図３のステップＳ１０１において、ＣＰＵ１０１は、フラグ設定など所定の初期化処理を行ってステップＳ１０２へ進む。ステップＳ１０２において、ＣＰＵ１０１は、電源ＯＮされたか否かを判定する。ＣＰＵ１０１は、メインスイッチ（不図示）から操作信号が入力されるとステップＳ１０２を肯定判定し、所定の電源オン処理を行ってステップＳ１０３へ進む。ＣＰＵ１０１は、操作信号が入力されない場合にはステップＳ１０２を否定判定し、当該判定処理を繰り返す。
【００２１】
ステップＳ１０３において、ＣＰＵ１０１は撮影モードか否かを判定する。電子カメラ１は、モード切り換えスイッチによって撮影モード、再生モードおよびセットアップモードのいずれかを択一的に切り換え可能に構成される。撮影モードはレリーズ操作に応じて撮影を行う動作モード、再生モードは記録媒体１２６に記録されている画像データによる画像を表示装置１２５に再生表示する動作モード、セットアップモードはカメラの表示言語や日時設定等カメラの基本設定を行うモードである。ＣＰＵ１０１は、電子カメラ１が撮影モードに設定されている場合にステップＳ１０３を肯定判定してステップＳ１０７へ進み、撮影モード処理を行う。撮影モードに設定されていない場合にはステップＳ１０３を否定判定し、ステップＳ１０４へ進む。
【００２２】
ステップＳ１０４において、ＣＰＵ１０１は再生モードか否かを判定する。ＣＰＵ１０１は、電子カメラ１が再生モードに設定されている場合にステップＳ１０４を肯定判定してステップＳ１０８へ進み、再生モード処理を行う。再生モードに設定されていない場合にはステップＳ１０４を否定判定し、ステップＳ１０５へ進む。
【００２３】
ステップＳ１０５において、ＣＰＵ１０１はセットアップモードか否かを判定する。ＣＰＵ１０１は、電子カメラ１がセットアップモードに設定されている場合にステップＳ１０５を肯定判定してステップＳ１０９へ進み、セットアップモード処理を行う。セットアップモードに設定されていない場合にはステップＳ１０５を否定判定し、ステップＳ１０６へ進む。
【００２４】
ステップＳ１０６において、ＣＰＵ１０１は、電源ＯＦＦされたか否かを判定する。ＣＰＵ１０１は、メインスイッチ（不図示）から操作信号が入力されるとステップＳ１０６を肯定判定し、所定の電源オフ処理を行って図３による処理を終了する。ＣＰＵ１０１は、操作信号が入力されない場合にはステップＳ１０６を否定判定し、ステップＳ１０３へ戻る。
【００２５】
本発明による動作は撮影モードにおいて行われるので、撮影モードを中心に説明し、再生モードおよびセットアップモードについての説明は省略する。
【００２６】
撮影モードで行われる処理の詳細について、図４のフローチャートを参照して説明する。図４のステップＳ２００において、ＣＰＵ１０１は、シャッタレリーズスイッチＳ１がオンされたか否かを判定する。ＣＰＵ１０１は、スイッチＳ１オンを示す信号が入力されるとステップＳ２００を肯定判定してステップＳ２０１へ進み、スイッチＳ１がオンされない場合にはステップＳ２００を否定判定し、当該判定処理を繰り返す。Ｓ２０１において、ＣＰＵ１０１は、被写体距離を測距してステップＳ２０２へ進む。具体的には、測距装置１０２から距離情報を取得する。
【００２７】
ステップＳ２０２において、ＣＰＵ１０１は、中央部の被写体輝度を測光し、ステップＳ２０３へ進む。ステップＳ２０３において、ＣＰＵ１０１は、周辺部の被写体輝度を測光し、ステップＳ２０４へ進む。
【００２８】
ステップＳ２０４において、ＣＰＵ１０１は露出演算を行ってステップＳ２０５へ進む。第一の実施形態では、中央部の被写体輝度と周辺部の被写体輝度を合成して露出演算することにより、シャッタ速度（シャッタ秒時Ｔ）を算出する処理Ａを行う。
【００２９】
ステップＳ２０５において、ＣＰＵ１０１は、照明光（撮影補助光）発光モードか否かを判定する。ＣＰＵ１０１は、低輝度照明灯１０６および高輝度照明灯１０５のいずれかが発光する場合にステップＳ２０５を肯定判定してステップＳ２０６へ進み、低輝度照明灯１０６および高輝度照明灯１０５のいずれも発光させない場合にはステップＳ２０５を否定判定し、ステップＳ２０９のＡＥ撮影処理へ進む。ステップＳ２０６へ進む場合は、照明灯を強制的に発光するように設定されている場合、および露出演算によって手ぶれ発生するおそれがあるシャッタ秒時の時照明光が必要と判定された場合である。ステップＳ２０９へ進む場合は、照明灯の発光が禁止されている場合、および露出演算によって照明光が不要と判定された場合である。
【００３０】
ステップＳ２０６において、ＣＰＵ１０１は、測距距離＞ａが成立するか否かを判定する。ＣＰＵ１０１は、測距装置１０２からの距離情報が所定距離ａ以上を示す場合にステップＳ２０６を肯定判定してステップＳ２０７の第１撮影補助光撮影モードへ進む。一方、ＣＰＵ１０１は、測距装置１０２からの距離情報が所定距離ａ未満を示す場合にステップＳ２０６を否定判定し、ステップＳ２０８の第２撮影補助光撮影モードへ進む。
【００３１】
ＡＥ撮影処理の詳細について、図５のフローチャートを参照して説明する。図５のステップＳ２５１において、ＣＰＵ１０１はフォーカシング動作を行う。具体的には、焦点検出信号に応じて撮影レンズ３内のフォーカスレンズ（不図示）を光軸方向に進退駆動するようにモータドライブ回路１０４へ指令を送る。
【００３２】
ステップＳ２５２において、ＣＰＵ１０１は、合焦したか否かを判定する。ＣＰＵ１０１は、焦点検出信号が合焦を示す場合にステップＳ２５２を肯定判定してステップＳ２５２Ｂへ進み、焦点検出信号が合焦を示さない場合にはステップＳ２５２を否定判定し、ステップＳ２５１へ戻る。ステップＳ２５２Ｂにおいて、ＣＰＵ１０１は、フォーカシング動作を終了させてステップＳ２５３へ進む。
【００３３】
ステップＳ２５３において、ＣＰＵ１０１は、シャッタレリーズスイッチＳ２がＯＮされたか否かを判定する。ＣＰＵ１０１は、スイッチＳ２オンを示す信号が入力された場合にステップＳ２５３を肯定判定してステップＳ２５４へ進み、スイッチＳ２がオンされない場合にはステップＳ２５３を否定判定し、ステップＳ２５１へ戻る。
【００３４】
ステップＳ２５４において、ＣＰＵ１０１は、撮像素子１２１に電荷蓄積を開始させてステップＳ２５５へ進む。
【００３５】
ステップＳ２５５において、ＣＰＵ１０１は、タイマによる計時をスタートしてステップＳ２５６へ進む。ステップＳ２５６において、ＣＰＵ１０１は、シャッタ秒時Ｔを計時したか否かを判定する。ＣＰＵ１０１は、計時時間＝Ｔが成立する場合にステップＳ２５６を肯定判定してステップＳ２５７へ進み、計時時間＝Ｔが成立しない場合にはステップＳ２５６を否定判定し、当該判定処理を繰り返す。
【００３６】
ステップＳ２５７において、ＣＰＵ１０１は、撮像素子１２１に電荷蓄積を終了させてステップＳ２５８へ進む。電荷蓄積終了は、シャッタを閉じて露光終了することと等価である。
【００３７】
ステップＳ２５８において、ＣＰＵ１０１は、ディジタル変換後の画像データに画像処理、圧縮処理を施して記録媒体１２６へ記録する。ＣＰＵ１０１は、図５による処理を終了し、図３のステップＳ１０４へ進む。
【００３８】
第１撮影補助光撮影モード処理の詳細について、図６のフローチャートを参照して説明する。図６のステップＳ３０１〜ステップＳ３０５の処理は、それぞれ図５におけるステップＳ２５１〜ステップＳ２５５の処理と同一なので説明を省略する。
【００３９】
ステップＳ３０６において、ＣＰＵ１０１は、高輝度照明灯１０５へ発光指示を送出してステップＳ３０７へ進む。
【００４０】
ステップＳ３０７〜ステップＳ３０９の処理は、それぞれ図５におけるステップＳ２５６〜ステップＳ２５８の処理と同一なので説明を省略する。
【００４１】
第２撮影補助光撮影モード処理の詳細について、図７のフローチャートを参照して説明する。図７のステップＳ３５１〜ステップＳ３５３の処理は、それぞれ図５におけるステップＳ２５１〜ステップＳ２５３処理と同一なので説明を省略する。
【００４２】
ステップＳ３５４において、ＣＰＵ１０１は、低輝度照明灯１０６を点灯（発光開始）させてステップＳ３５５へ進む。低輝度照明灯１０６の発光光度は、あらかじめ設定されている所定の発光光度とする。
【００４３】
ステップＳ３５５において、ＣＰＵ１０１は再び露出演算を行ってステップＳ３５６へ進む。すなわち、中央部の被写体輝度と周辺部の被写体輝度を合成して露出演算することにより、シャッタ速度（シャッタ秒時Ｔ）を算出する処理Ａを行う。これにより、低輝度照明灯１０６によって照明された状態の輝度情報によって新たにシャッタ秒時Ｔが算出される。
【００４４】
ステップＳ３５６において、ＣＰＵ１０１は、所定時間が経過してからステップＳ３５７へ進む。この場合の所定時間は、上記再露出演算に要する時間に相当する。
【００４５】
ステップＳ３５７〜ステップＳ３６０の処理は、それぞれ図５におけるステップＳ２５４〜ステップＳ２５７の処理と同一なので説明を省略する。
【００４６】
ステップＳ３６１において、ＣＰＵ１０１は、低輝度照明灯１０６を消灯（発光終了）させてステップＳ３６２へ進む。ステップＳ３６２の処理は、図５におけるステップＳ２５８の処理と同一なので説明を省略する。
【００４７】
以上説明した第一の実施形態についてまとめる。
（１）電子カメラに高輝度照明灯１０５および低輝度照明灯１０６を設け、主要被写体までの距離に応じて使い分けるようにした。遠い距離の被写体には高輝度の照明灯を用い、近距離の被写体には低輝度の照明灯を使用する。
【００４８】
（２）低輝度照明灯１０６を白色ＬＥＤで構成したので、放電管の場合と異なり、高電圧回路によるメインコンデンサへの充電が不要で、消費電力を抑えることができる。
【００４９】
（３）実装が簡単でスペースが小さくてすむＬＥＤを使った低輝度の照明灯を鏡筒の前面に配置することにより、近距離撮影時鏡筒の影にならない様にでき、鏡筒の大型化を防ぐことができる。とくに近接撮影時には主要被写体の全体を照明することが可能になる。
【００５０】
（４）第２補助光撮影モード（低輝度照明灯１０６を発光させる）の場合、低輝度照明灯を点灯（ステップＳ３５４）し、照射された状態の被写体を測光できるので、特別な調光制御が不要となる。
【００５１】
（５）低輝度照明灯１０６の発光時には長時間発光が可能なので、短時間で強い光度の閃光装置による照明光に比べて発光光度を低くすることができるので、近距離撮影時の眩しさを軽減できる。
【００５２】
上述した説明では、発光窓４、４'を２つ設けるようにしたが、発光窓の数は２つに限らず１つであってもよいし、４つであってもよい。
【００５３】
（第二の実施形態）
第二の実施形態では、中央部の近距離被写体は低輝度照明灯１０６を照らして適正露出を得て、低輝度照明の届かない範囲は周辺輝度から求めたシャッタ秒時により適正露出を得る。
【００５４】
第二の実施形態におけるＣＰＵ１０１で行われる第２撮影補助光撮影モード処理の詳細について、図８のフローチャートを参照して説明する。図８による処理は、図７の処理に代えて行われる。図７と比べて、ステップＳ３５８ＡおよびステップＳ３５８Ｂがそれぞれ追加される点、ステップＳ３６１が省略される点が第一の実施形態（図７）と異なる。
【００５５】
ステップＳ３５８Ａにおいて、ＣＰＵ１０１は、第二補助光発光時間ＨＴを計時したか否かを判定する。ＣＰＵ１０１は、計時時間＝ＨＴが成立する場合にステップＳ３５８Ａを肯定判定してステップＳ３５８Ｂへ進み、計時時間＝ＨＴが成立しない場合にはステップＳ３５８Ａを否定判定し、当該判定処理を繰り返す。
【００５６】
ステップＳ３５８Ｂにおいて、ＣＰＵ１０１は、低輝度照明灯１０６を消灯（発光終了）させてステップＳ３５９へ進む。
【００５７】
ステップＳ３５９、Ｓ３６０およびステップＳ３６２の処理は、それぞれ図５における同一ステップ番号の処理と同一なので説明を省略する。
【００５８】
以上説明したように第二の実施形態によれば、以下の作用効果が得られる。すなわち、第２補助光撮影モード（低輝度照明灯１０６を発光させる）の場合、低輝度照明灯を点灯（ステップＳ３５４）後に露出演算を行い（ステップＳ３５５）、撮影領域の中央部で適正露出が得られるように第２補助光発光時間ＨＴを演算し、撮影領域の周辺部で適正露出が得られるようにシャッタ速度（シャッタ秒時Ｔ）を演算するようにした。したがって、スローシンクロ撮影に適した照明時間、シャッタ秒時Ｔ（露出時間）をそれぞれ算出することができる。
【００５９】
以上説明した第一の実施形態および第二の実施形態では、低輝度照明灯１０６の発光光度を所定の光度で一定とした。この発光光度は、電子カメラ１が三脚に固定されているか否かで変化させるようにしてもよい。たとえば、電子カメラ１の三脚ネジ穴部（不図示）にセンサを配設し、このセンサが三脚側のネジを検出した場合は上記所定の発光光度で低輝度照明灯１０６を発光させ、センサが三脚側のネジを検出しない場合は低輝度照明灯１０６を最大の発光光度で発光させる。これにより、電子カメラ１が三脚に固定されていない状態では手ぶれ限界より短いシャッタ秒時が算出される可能性が高くなり、手持ち撮影時のぶれを抑制することが可能になる。
【００６０】
（第三の実施形態）
第三の実施形態では、低輝度照明灯１０６を点灯する前の露出演算によって低輝度照明灯１０６へ供給する電流値を決定する。 このためにＣＰＵ１０１は、露出演算時に、低輝度照明灯１０６から発光すべき光量（光度Ｌ）を含む制御露出を演算する。光度Ｌは、絞り値および主要被写体までの距離情報に応じて加減する。ＬＥＤの発光光度とＬＥＤに供給する電流値の関係は、あらかじめ実測結果をテーブル化してＣＰＵ１０１内の不揮発性メモリに格納しておく。ＣＰＵ１０１は光度Ｌを引数として上記テーブルを参照して必要な電流値Ｉを決定する処理Ｃを行う。
【００６１】
ＣＰＵ１０１はさらに、シャッタ速度（シャッタ秒時Ｔ）を演算する処理Ａも行う。
【００６２】
第三の実施形態におけるＣＰＵ１０１で行われる第２撮影補助光撮影モード処理の詳細について、図９のフローチャートを参照して説明する。図９による処理は、図７（もしくは図８）の処理に代えて行われる。図７と比べて、ステップＳ３５３ＡおよびステップＳ３５９Ａがそれぞれ追加される点、ステップＳ３５５、Ｓ３５６、およびＳ３６１がそれぞれ省略される点が第一の実施形態と異なる。
【００６３】
ステップＳ３５３Ａにおいて、ＣＰＵ１０１は、低輝度照明灯１０６の点灯電流を設定してステップＳ３５４へ進む。具体的には、露出演算（ステップＳ２０４）で算出した光度Ｌに対応する電流値Ｉを決定する上記Ｃの処理を行う。
【００６４】
ステップＳ３５４において、ＣＰＵ１０１は、低輝度照明灯１０６へ電流値Ｉを示す信号を送出するとともに、点灯を指示してステップＳ３５７へ進む。
【００６５】
ステップＳ３５９Ａにおいて、ＣＰＵ１０１は、低輝度照明灯１０６を消灯（発光終了）させてステップＳ３６０へ進む。
【００６６】
ステップＳ３６０およびステップＳ３６２の処理は、それぞれ図７における同一ステップ番号の処理と同一なので説明を省略する。
【００６７】
以上説明したように第三の実施形態によれば、以下の作用効果が得られる。
（１）第２補助光撮影モード（低輝度照明灯１０６を発光させる）の場合、低輝度照明灯１０６を点灯する前に、電子カメラ１に設定されている絞り値ＡＶ、設定されているシャッタ速度ＴＶ，検出した被写体輝度ＢＶ、および設定されている撮像感度ＳＶを用いて露出演算を行い（ステップＳ２０４）、低輝度照明灯１０６から発光すべき光量（光度Ｌ）を含む制御露出を演算する。光度Ｌは、絞り値および主要被写体までの距離情報に応じて加減し、あらかじめ実測結果を格納したテーブルを参照して光度Ｌに必要な電流値Ｉを決定した。したがって、既知の情報を有効に活用して低輝度照明灯１０６の発光量制御を行い、適切な露出を行うことができる。
【００６８】
（２）低輝度照明灯１０６の発光時には、シャッタ秒時Ｔに対応する露光時間の範囲で連続発光させるようにしたので、露光時間のうち短い時間だけ強い発光光度で発光させる場合に比べて発光光度を低くすることができる。これにより、近距離撮影時の眩しさを軽減できる。
【００６９】
以上の説明では、電子カメラ１に各照明灯が内蔵される例を説明したが、高輝度照明灯１０５および低輝度照明灯１０６の一方もしくは双方を、それぞれ電子カメラ１に装着する外付け構成としてもよい。
【００７０】
上記の説明では電子カメラを例に説明したが、フィルムカメラの場合にも本発明を適用できる。
【００７１】
特許請求の範囲における各構成要素と、発明を実施するための最良の形態における各構成要素との対応について説明する。測光手段は、たとえば、測光装置１０３によって構成される。第１の照明手段は、たとえば、高輝度照明灯１０５（発光窓２）によって構成される。第２の照明手段は、たとえば、低輝度照明灯１０６（発光窓４、４'）によって構成される。発光制御手段、撮影制御手段、および電流値演算手段は、たとえば、ＣＰＵ１０１によって構成される。なお、本発明の特徴的な機能を損なわない限り、各構成要素は上記構成に限定されるものではない。
【図面の簡単な説明】
【００７２】
【図１】本発明の第一の実施形態による電子カメラの外観を説明する正面図である。
【図２】図１の電子カメラの要部構成を説明するブロック図である。
【図３】ＣＰＵで行われるカメラ処理の流れを説明するフローチャートである。
【図４】撮影モードで行われる処理を説明するフローチャートである。
【図５】ＡＥ撮影処理を説明するフローチャートである。
【図６】第１撮影補助光撮影モード処理を説明するフローチャートである。
【図７】第２撮影補助光撮影モード処理を説明するフローチャートである。
【図８】第二の実施形態による第２撮影補助光撮影モード処理を説明するフローチャートである。
【図９】第三の実施形態による第２撮影補助光撮影モード処理を説明するフローチャートである。
【符号の説明】
【００７３】
１…電子カメラ
２…高輝度照明灯の発光窓
３…撮影レンズ
４、４'…低輝度照明灯の発光窓
６…レリーズボタン
１０１…ＣＰＵ
１０２…測距装置
１０３…測光装置
１０５…高輝度照明灯
１０６…低輝度照明灯
１０７…操作部材
１２１…撮像素子
【図１】
2005308929.tif 000003
【図２】
2005308929.tif 000004
【図３】
2005308929.tif 000005
【図４】
2005308929.tif 000006
【図５】
2005308929.tif 000007
【図６】
2005308929.tif 000008
【図７】
2005308929.tif 000009
【図８】
2005308929.tif 000010
【図９】
2005308929.tif 000011